(57)【要約】  【課題】  ダイナミックスキューを従来より抑えることができる光ヘッド装置を提供する。  【解決手段】  光ヘッド装置は、対物レンズを保持するレンズホルダ８０と、ワイヤ１０１〜１０３によってレンズホルダ８０をトラッキング方向、矢印Ｆｏで示すフォーカシング方向およびチルト方向に移動可能に支持するホルダ支持部材１１０とを有し、ホルダ支持部材１１０は、ワイヤ１０１〜１０３が埋設されるゲル状緩衝材１１７を収納するゲルポット１１３を有し、ゲル状緩衝材１１７は、フォーカシング方向に沿って配設された３本のワイヤ１０１〜１０３のうちフォーカシング方向における中央に位置するワイヤ１０２を他の２本のワイヤ１０１、１０３より矢印１０ｂで示す突出方向における後方から突出させることを特徴とする。【選択図】  図９
2009099164.tif 000002
【特許請求の範囲】
【請求項１】
対物レンズを保持するレンズホルダと、所定のバネ定数を有する６本のワイヤと、前記ワイヤによって前記レンズホルダをトラッキング方向、フォーカシング方向およびチルト方向に移動可能に支持するホルダ支持部材とを有する光ヘッド装置であって、
前記６本のワイヤは、前記トラッキング方向および前記フォーカシング方向の双方に直交する方向にそれぞれ延在して前記トラッキング方向における前記レンズホルダの両側に前記フォーカシング方向に沿って３本ずつ配設され、
前記ホルダ支持部材は、前記ワイヤが埋設されるゲル状緩衝材を収納するゲルポットを有し、
前記ゲル状緩衝材は、前記フォーカシング方向に沿って配設された３本の前記ワイヤのうち前記フォーカシング方向における中央に位置するワイヤを他の２本のワイヤより突出方向における後方から突出させることを特徴とする光ヘッド装置。
【請求項２】
前記ホルダ支持部材は、前記フォーカシング方向に沿って配設された３本の前記ワイヤを１つの前記ゲルポットに収納されたゲル状緩衝材に一緒に埋設させ、
前記ゲル状緩衝材は、前記ゲルポットの容積より少ない量が前記ゲルポットに充填されることによって前記ワイヤが突出される表面が表面張力によって擂り鉢状に形成され、前記フォーカシング方向に沿って配設された３本の前記ワイヤのうち前記フォーカシング方向における中央に位置するワイヤを他の２本のワイヤより前記擂り鉢の底側から突出させることを特徴とする請求項１に記載の光ヘッド装置。
【請求項３】
前記ゲルポットは、前記ゲル状緩衝材に対して前記ワイヤの延在方向のみが開口していることを特徴とする請求項２に記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクの再生や記録などに用いられる光ヘッド装置に関する。
【背景技術】
【０００２】
従来の光ヘッド装置として、対物レンズを保持するレンズホルダと、所定のバネ定数を有する６本のワイヤと、ワイヤによってレンズホルダをトラッキング方向、フォーカシング方向およびチルト方向に移動可能に支持するホルダ支持部材とを有する光ヘッド装置であって、６本のワイヤは、トラッキング方向およびフォーカシング方向の双方に直交する方向にそれぞれ延在してトラッキング方向におけるレンズホルダの両側にフォーカシング方向に沿って３本ずつ配設され、ホルダ支持部材は、ワイヤが埋設されるゲル状緩衝材を収納するゲルポットを有するものが知られている（例えば、特許文献１参照。）。
【０００３】
ここで、光ヘッド装置は、ノート型パソコンなどの光ドライブ装置に搭載される薄く小さいスリム型である場合、対物レンズおよびレンズホルダからなる可動部の質量ｍが小さいので、「数１」で示す主共振周波数ｆ０が大きくなり易い。「数１」において、ｋは、６本のワイヤの全体のバネ定数である。主共振周波数ｆ０が大きくなると、光記録ディスクの回転数に同期した周波数で外乱が発生し易く可動部の制御性が低下する。したがって、可動部の制御性の低下を抑えるために、「数１」によれば、バネ定数ｋは、小さい方が良い。
【数１】
2009099164.tif 000003
【０００４】
また、可動部のトラッキング方向の変位ｘは、「数２」で示すようにトラッキング方向の推力Ｆと、６本のワイヤの全体のバネ定数ｋとで表わされる。「数２」によれば、変位ｘを大きくするためには、推力Ｆを大きくすれば良いが、光ヘッド装置がスリム型である場合、少ない電力で推力Ｆを大きくする構造を寸法の制約から採用することができないので、単位電圧当たりの移動量であるＤＣ感度が低く、消費電力が大きくなる。したがって、消費電力が大きくなることを抑えるために、「数２」によれば、バネ定数ｋは、小さい方が良い。
【数２】
2009099164.tif 000004
【０００５】
ここで、バネ定数ｋを小さくするためには、ワイヤの径を小さくすれば良い。しかしながら、ワイヤの剛性が径の３乗に比例して低下するので、ワイヤの径が小さ過ぎると、ワイヤの剛性が小さくなり過ぎて半田作業などのワイヤの取り扱いが困難になる。したがって、一般に、性能や量産性などを考慮して、ワイヤは、直径０．０５ｍｍ〜直径０．１５ｍｍ程度のものが利用される。
【０００６】
６本のワイヤのバネ定数は、全て同じというわけではない。図１１は、従来の光ヘッド装置の可動部をワイヤ９１１〜９１３の延在方向と同じ方向に見た模式図である。ここで、図１１に示すように、ワイヤ９１１は、最も対物レンズ９２０に近いワイヤであり、ワイヤ９１２は、ワイヤ９１１の次に対物レンズ９２０に近いワイヤであり、ワイヤ９１３は、最も対物レンズ９２０から遠いワイヤである。可動部のローリング共振を低減するために、トラッキング方向の推力Ｆの中心は、可動部の重心Ｇと一致させられている。対物レンズ９２０の存在によって可動部の重心Ｇがレンズホルダ９３０の中心より対物レンズ９２０側に位置しているため、トラッキング方向の推力Ｆの中心も、レンズホルダ９３０の中心より対物レンズ９２０側に位置している。ここで、対物レンズ９２０をトラッキング方向に駆動するときの傾きであるダイナミックスキューを改善するため、可動部の支持中心Ｓは、可動部に加わるトラッキング方向の推力Ｆの中心と近い方が良い。可動部の支持中心Ｓは、ワイヤ９１１の中心およびワイヤ９１２の中心の間の距離Ｚ１と、ワイヤ９１２の中心およびワイヤ９１３の中心の間の距離Ｚ２とを互いに異ならせることによって、レンズホルダ９３０の中心からずらすことができる。しかしながら、スリム型の光ヘッド装置においては、半田作業性を考慮すると、距離Ｚ１と、距離Ｚ２とが同じである方が好ましい。したがって、６本のワイヤのバネ定数は、可動部の支持中心Ｓをレンズホルダ９３０の中心から推力Ｆの中心側にずらすために、全て同じというわけではない。
【０００７】
ここで、ワイヤ９１１のバネ定数をｋ１、ワイヤ９１２のバネ定数をｋ２、ワイヤ９１３のバネ定数をｋ３とすると、フォーカシング方向におけるワイヤ９１３の中心の高さを原点としたときの支持中心Ｓの位置は、原点からの距離Ｚ３によって「数３」に示すように表わされる。
【数３】
2009099164.tif 000005
【０００８】
仮に距離Ｚ１および距離Ｚ２がともに１ｍｍであるとすると、「数３」は、「数４」に示すようになる。
【数４】
2009099164.tif 000006
【０００９】
上述したように、トラッキング方向の推力Ｆの中心は、レンズホルダ９３０の中心より対物レンズ９２０側に位置している。また、可動部の支持中心Ｓは、トラッキング方向の推力Ｆの中心と近い方が良い。したがって、可動部の支持中心Ｓは、レンズホルダ９３０の中心より対物レンズ９２０側に位置している方が良い。「数４」において可動部の支持中心Ｓが対物レンズ９２０側に位置しているためには、距離Ｚ３が１ｍｍより大きい必要がある。つまり、バネ定数ｋ１がバネ定数ｋ３より大きい必要がある。したがって、図１１に示すように、ワイヤ９１１の径がワイヤ９１３の径より大きくなっていると良い。もちろん、ワイヤ９１１、９１３は、上述したように、直径０．０５ｍｍ〜直径０．１５ｍｍ程度のものが利用される。ここで、バネ定数ｋ２が小さいほど、「数４」の右辺の分母に対する分子の影響が大きいので、可動部の支持中心Ｓは、レンズホルダ９３０の中心より更に対物レンズ９２０側に位置することができる。したがって、ワイヤ９１２の径は、小さい方が良い。もちろん、ワイヤ９１２も、上述したように、直径０．０５ｍｍ〜直径０．１５ｍｍ程度のものが利用される。
【特許文献１】特開２００４−３２６９１３号公報（特に、第３頁、第８図）
【発明の開示】
【発明が解決しようとする課題】
【００１０】
しかしながら、従来の光ヘッド装置においては、可動部の支持中心Ｓと、可動部に加わるトラッキング方向の推力Ｆの中心とが十分に近づいていないため、ダイナミックスキューが発生するという問題がある。
【００１１】
本発明は、従来の問題を解決するためになされたもので、ダイナミックスキューを従来より抑えることができる光ヘッド装置を提供することを目的とする。
【課題を解決するための手段】
【００１２】
本発明の光ヘッド装置は、対物レンズを保持するレンズホルダと、所定のバネ定数を有する６本のワイヤと、前記ワイヤによって前記レンズホルダをトラッキング方向、フォーカシング方向およびチルト方向に移動可能に支持するホルダ支持部材とを有する光ヘッド装置であって、前記６本のワイヤは、前記トラッキング方向および前記フォーカシング方向の双方に直交する方向にそれぞれ延在して前記トラッキング方向における前記レンズホルダの両側に前記フォーカシング方向に沿って３本ずつ配設され、前記ホルダ支持部材は、前記ワイヤが埋設されるゲル状緩衝材を収納するゲルポットを有し、前記ゲル状緩衝材は、前記フォーカシング方向に沿って配設された３本の前記ワイヤのうち前記フォーカシング方向における中央に位置するワイヤを他の２本のワイヤより突出方向における後方から突出させることを特徴とする。
【００１３】
この構成により、本発明の光ヘッド装置は、フォーカシング方向に沿って配設された３本のワイヤのうちフォーカシング方向における中央に位置するワイヤが他の２本のワイヤよりゲル状緩衝材から長く突出しており、中央に位置するワイヤのバネ定数が他の２本のワイヤのバネ定数より小さくなっているので、可動部の支持中心と、可動部に加わるトラッキング方向の推力の中心とを十分に近づけることができ、ダイナミックスキューを従来より抑えることができる。
【００１４】
また、本発明の光ヘッド装置の前記ホルダ支持部材は、前記フォーカシング方向に沿って配設された３本の前記ワイヤを１つの前記ゲルポットに収納されたゲル状緩衝材に一緒に埋設させ、前記ゲル状緩衝材は、前記ゲルポットの容積より少ない量が前記ゲルポットに充填されることによって前記ワイヤが突出される表面が表面張力によって擂り鉢状に形成され、前記フォーカシング方向に沿って配設された３本の前記ワイヤのうち前記フォーカシング方向における中央に位置するワイヤを他の２本のワイヤより前記擂り鉢の底側から突出させることを特徴とすることが好ましい。
【００１５】
また、本発明の光ヘッド装置の前記ゲルポットは、前記ゲル状緩衝材に対して前記ワイヤの延在方向のみが開口していることを特徴とすることが好ましい。
【発明の効果】
【００１６】
本発明によれば、ダイナミックスキューを従来より抑えることができる光ヘッド装置を提供することができる。
【発明を実施するための最良の形態】
【００１７】
以下、本発明の一実施の形態について、図面を用いて説明する。
【００１８】
まず、本実施の形態に係る光ヘッド装置の構成について説明する。
【００１９】
図１は、本実施の形態に係る光ヘッド装置１０の斜視図である。図２は、光ヘッド装置１０の分解斜視図である。図３は、光ヘッド装置１０の斜視図であって、一部の部品が取り除かれた状態での図である。
【００２０】
図１に示す光ヘッド装置１０は、波長が６５０ｎｍ帯のレーザ光と、波長が７８０ｎｍ帯のレーザ光とを用いてＣＤ系ディスクやＤＶＤ系ディスクなどの図示していない光記録ディスクに対する情報の再生や記録などが可能な２波長光ヘッド装置である。
【００２１】
図１〜図３に示すように、光ヘッド装置１０は、マグネシウムや亜鉛などのダイカスト品からなる金属製の装置フレーム１１と、装置フレーム１１に対して光記録ディスク側に配置されて装置フレーム１１上の各種の部品を覆う金属カバー１２および金属カバー１３と、波長が６５０ｎｍ帯のレーザ光を出射するＡｌＧａＩｎＰ系の半導体レーザを備えたレーザ光源としてのレーザ光源装置２１と、波長が７８０ｎｍ帯のレーザ光を出射するＡｌＧａＡｓ系の半導体レーザを備えたレーザ光源装置２２と、レーザ光源装置２１およびレーザ光源装置２２によって出射されたレーザ光を受光するためのモニタ用受光素子２３と、光記録ディスクの記録面で反射されたレーザ光を受光するための信号検出用受光素子２４と、レーザ光源装置２１およびレーザ光源装置２２によって出射されたレーザ光を光記録ディスクの記録面に収束させる対物レンズ３１を含む光学系３０と、装置フレーム１１に搭載されて対物レンズ３１の位置をサーボ制御するための対物レンズ駆動機構４０と、レーザ光源装置２１、レーザ光源装置２２、モニタ用受光素子２３、信号検出用受光素子２４および対物レンズ駆動機構４０などに電気的に接続されたフレキシブル回路基板５０とを備えている。
【００２２】
装置フレーム１１は、光記録ディスクを駆動する図示していないディスク駆動装置のガイド軸や送りねじ軸が係合する軸受１１ａおよび軸受１１ｂと、金属カバー１２の位置決め用の突起１１ｃと、金属カバー１２を留めるための爪１１ｄとを備えている。
【００２３】
金属カバー１２は、装置フレーム１１の突起１１ｃに嵌まる穴部１２ａと、装置フレーム１１の爪１１ｄに係合する溝部１２ｂとを備えている。
【００２４】
金属カバー１３は、対物レンズ３１から出射されるレーザ光を通過させる穴部１３ａを有しており、対物レンズ駆動機構４０を覆っている。
【００２５】
レーザ光源装置２１、レーザ光源装置２２およびモニタ用受光素子２３は、装置フレーム１１に搭載されており、金属カバー１２によって覆われている。
【００２６】
光学系３０は、レーザ光源装置２１から出射されたレーザ光を透過しレーザ光源装置２２から出射されたレーザ光を反射する光路合成用の偏光プリズム３２と、レーザ光源装置２１および偏光プリズム３２の間に配置されて１／２波長板が一体に構成された回折素子３３と、レーザ光源装置２２および偏光プリズム３２の間に配置された回折素子３４およびリレーレンズ３５と、モニタ用受光素子２３および偏光プリズム３２の間に配置されて偏光プリズム３２から出射されたレーザ光を部分反射するハーフミラー３６と、偏光プリズム３２から出射されてハーフミラー３６によって反射されたレーザ光に１／４波長の位相差を生じさせる１／４波長板３７と、１／４波長板３７を透過したレーザ光を平行光にするコリメートレンズ３８と、コリメートレンズ３８によって平行光にされたレーザ光を光記録ディスクに向けて立ち上げる立ち上げミラー３９とを含んでいる。
【００２７】
偏光プリズム３２、回折素子３３、回折素子３４、リレーレンズ３５、ハーフミラー３６、１／４波長板３７、コリメートレンズ３８および立ち上げミラー３９は、装置フレーム１１に搭載されている。偏光プリズム３２、回折素子３３、回折素子３４、リレーレンズ３５、ハーフミラー３６および１／４波長板３７は、金属カバー１２によって覆われている。コリメートレンズ３８および立ち上げミラー３９は、対物レンズ駆動機構４０によって覆われている。
【００２８】
フレキシブル回路基板５０は、レーザ光源装置２１と電気的に接続される図示していない端部と、レーザ光源装置２２と電気的に接続される端部５０ｂと、モニタ用受光素子２３と電気的に接続される端部５０ｃと、信号検出用受光素子２４と電気的に接続される端部５０ｄと、対物レンズ駆動機構４０と電気的に接続される図示していない端部とを備えており、部分的に折り曲げられて立体的に装置フレーム１１に搭載されて金属カバー１２によって覆われている。
【００２９】
図４は、対物レンズ駆動機構４０の斜視図である。図５（ａ）、（ｂ）は、それぞれ対物レンズ駆動機構４０の平面図、右側面図である。図６（ａ）〜（ｃ）は、それぞれ対物レンズ駆動機構４０の正面図、背面図、底面図である。図４および図６（ａ）においては、後述するゲル状緩衝材の図示を省略している。
【００３０】
図４〜図６に示すように、対物レンズ駆動機構４０は、矢印Ｔｒで示すトラッキング方向において略対称であるので、片側については説明を省略する。対物レンズ駆動機構４０は、装置フレーム１１（図２参照。）に固定された磁性体のヨーク６０と、ヨーク６０に取り付けられた駆動マグネット７１、７２と、対物レンズ３１を保持するレンズホルダ８０と、レンズホルダ８０に取り付けられて駆動マグネット７１、７２とともに矢印Ｔｒで示すトラッキング方向における駆動用の磁気回路を構成するトラッキング駆動コイル９１、９２と、レンズホルダ８０に取り付けられて駆動マグネット７１、７２とともに矢印Ｆｏで示すフォーカシング方向における駆動用の磁気回路を構成するフォーカシング駆動コイル９３と、レンズホルダ８０に連結されたワイヤ１０１〜１０３と、ヨーク６０に固定されてワイヤ１０１〜１０３を介してレンズホルダ８０を矢印Ｔｒで示すトラッキング方向、矢印Ｆｏで示すフォーカシング方向および矢印Ｔｉで示すチルト方向に移動可能に支持するホルダ支持部材１１０と、フレキシブル回路基板５０（図２参照。）の図示していない端部およびワイヤ１０１〜１０３と電気的に接続されてホルダ支持部材１１０に固定された基板１２０と、ヨーク６０に対してレンズホルダ８０および基板１２０を固定するネジ１３０とを備えている。
【００３１】
図７（ａ）は、ヨーク６０、ホルダ支持部材１１０および基板１２０の平面図である。図７（ｂ）は、ヨーク６０、ホルダ支持部材１１０および基板１２０の右側面図である。図８（ａ）、（ｂ）は、それぞれ図７（ａ）のＡ−Ａ矢視断面図、Ｂ−Ｂ矢視断面図である。図８（ｂ）においては、後述するゲル状緩衝材の図示を省略している。
【００３２】
図７および図８に示すように、ヨーク６０は、駆動マグネット７１が固定される壁部６１と、壁部６１と平行に配置されて駆動マグネット７２が固定される壁部６２と、壁部６１および壁部６２を連結して装置フレーム１１（図２参照。）に設置される設置部６３と、設置部６３から立ち上げられてフォーカシング駆動コイル９３（図５（ａ）参照。）に挿入される挿入部６４と、壁部６２に対して壁部６１とは反対側で壁部６２と平行に配置された壁部６５と、壁部６２および壁部６５を連結して壁部６２に対して壁部６５を支持する支持部６６とを有している。壁部６１は、駆動マグネット７１の矢印Ｔｒ（図５（ａ）参照。）で示すトラッキング方向の位置決めに使用される円柱状の突起６１ａ、６１ｂと、駆動マグネット７１の矢印Ｆｏ（図５（ｂ）参照。）で示すフォーカシング方向の位置決めに使用される円柱状の突起６１ｃとを有している。壁部６２は、駆動マグネット７２の矢印Ｔｒで示すトラッキング方向の位置決めに使用される円柱状の突起６２ａ、６２ｂと、駆動マグネット７２の矢印Ｆｏで示すフォーカシング方向の位置決めに使用される円柱状の突起６２ｃとを有している。壁部６５は、ネジ１３０が螺合されるネジ穴６５ａと、ネジ穴６５ａの両側に開けられてホルダ支持部材１１０の位置決めに使用される穴６５ｂ（図４参照。）とを有している。
【００３３】
駆動マグネット７１、７２は、ヨーク６０の挿入部６４側がＮ極になっている。
【００３４】
図４〜図６に示すように、トラッキング駆動コイル９１は、矢印Ｆｏで示すフォーカシング方向に延在する２辺のうち１辺が駆動マグネット７１と、ヨーク６０の挿入部６４との間に配置されている。ここで、駆動マグネット７１と、ヨーク６０の挿入部６４との間には、矢印Ｆｏで示すフォーカシング方向と、矢印Ｔｒで示すトラッキング方向との双方に直交する矢印１０ａで示す方向に磁界が発生している。したがって、トラッキング駆動コイル９１は、電流が流されることによって矢印Ｔｒで示すトラッキング方向の電磁力を受け、レンズホルダ８０に固定された対物レンズ３１を矢印Ｔｒで示すトラッキング方向に移動させる。トラッキング駆動コイル９１と、駆動マグネット７１およびヨーク６０の挿入部６４との位置関係について説明したが、トラッキング駆動コイル９２と、駆動マグネット７２およびヨーク６０の挿入部６４との位置関係についても同様である。なお、トラッキング駆動コイル９１、９２の配線は、トラッキング駆動コイル９１、９２に電流が流されたときにトラッキング駆動コイル９１、９２に発生する電磁力によって対物レンズ３１が矢印Ｔｒで示すトラッキング方向のみに移動するように適切に設定されている。
【００３５】
フォーカシング駆動コイル９３は、矢印Ｔｒで示すトラッキング方向に延在する２辺のうち１辺が駆動マグネット７１と、ヨーク６０の挿入部６４との間に配置され、残りの１辺が駆動マグネット７２と、ヨーク６０の挿入部６４との間に配置されている。ここで、駆動マグネット７１およびヨーク６０の挿入部６４の間と、駆動マグネット７２およびヨーク６０の挿入部６４の間とには、矢印１０ａで示す方向であって互いに逆向きの磁界が発生している。したがって、フォーカシング駆動コイル９３は、電流が流されることによって矢印Ｆｏで示すフォーカシング方向の電磁力を受け、レンズホルダ８０に固定された対物レンズ３１を矢印Ｆｏで示すフォーカシング方向に移動させる。なお、２つのフォーカシング駆動コイル９３に矢印Ｆｏで示すフォーカシング方向であって互いに逆向きの電磁力が発生するようにフォーカシング駆動コイル９３に流される電流が制御されることによって、対物レンズ３１は、矢印Ｔｉで示すチルト方向に移動することができる。
【００３６】
ワイヤ１０１〜１０３は、所定のバネ定数を有するワイヤであって、矢印１０ａで示す方向にそれぞれ延在して、矢印Ｔｒで示すトラッキング方向におけるレンズホルダ８０の両側に矢印Ｆｏで示すフォーカシング方向に沿って配設されている。ワイヤ１０１〜１０３は、レンズホルダ８０側の端部でレンズホルダ８０上の基板８１を介してそれぞれトラッキング駆動コイル９１、９２およびフォーカシング駆動コイル９３の何れかに電気的に接続されており、基板１２０側の端部で基板１２０に電気的に接続されている。「背景技術」に記載したように、ワイヤ１０１〜１０３は、直径０．０５ｍｍ〜直径０．１５ｍｍ程度のものが利用されており、ワイヤ１０１の径がワイヤ１０３の径より大きくなっていると良い。すなわち、ワイヤ１０１の径は、ワイヤ１０３の径の１〜３倍である。ワイヤ１０１〜１０３は、互いに径が異なるワイヤであっても良いが、作業において識別の煩雑さがあるため、２種類が好ましい。２種類である場合、「背景技術」に記載したようにワイヤ１０１のバネ定数がワイヤ１０３のバネ定数より大きい方が良いことと、ワイヤ１０２のバネ定数が小さいほど良いことを考慮すると、ワイヤ１０１〜１０３のうちワイヤ１０１の径が最も大きく、ワイヤ１０２、１０３の径が互いに等しい構成が好ましい。
【００３７】
ホルダ支持部材１１０は、中央に形成されてネジ１３０を通す図示していない中央穴と、中央穴の両側に形成されて位置決めのためにヨーク６０の穴６５ｂに挿入される突起１１１と、中央穴の両側に形成されて基板１２０の位置決めのために使用される突起１１２と、突起１１１に対して中央穴とは反対側に形成されレンズホルダ８０側に開口してワイヤ１０１〜１０３が挿入されたゲルポット１１３と、ゲルポット１１３に連通し基板１２０側に開口してそれぞれワイヤ１０１、１０２、１０３が挿入された穴１１４、１１５、１１６とを有している。
【００３８】
図９は、図６（ｂ）のＣ−Ｃ矢視断面図である。
【００３９】
図９に示すように、ホルダ支持部材１１０のゲルポット１１３には、ワイヤ１０１〜１０３が埋設されるゲル状緩衝材１１７が封入されている。ゲル状緩衝材１１７は、ワイヤ１０１〜１０３が埋設されることによって、ワイヤ１０１〜１０３に対して固定されたレンズホルダ８０に発生しがちな共振現象を抑制するものである。
【００４０】
ゲルポット１１３は、ゲル状緩衝材１１７に対してワイヤ１０１〜１０３の延在方向である矢印１０ａで示す方向のみが開口している。ゲル状緩衝材１１７は、ゲルポット１１３の容積より少ない量がゲルポット１１３に充填されることによってワイヤ１０１〜１０３が突出されるレンズホルダ８０側の表面１１７ａが表面張力によって擂り鉢状に形成されている。ここで、ゲル状緩衝材１１７の容積は、ＵＶ照射作業やゲル状緩衝材１１７の塗布作業の作業性からゲルポット１１３の容積の１／２倍程度でも良いが、好ましくは５／６倍〜２／３倍程度であると良い。この構成により、３０００ｍＰａ・ｓ〜１００００ｍＰａ・ｓ程度の適度のゲル状緩衝材１１７がゲルポット１１３に塗布されることによって、ゲル状緩衝材１１７の表面１１７ａが表面張力によって必ず擂り鉢状に形成される。そして、ゲル状緩衝材１１７は、矢印Ｆｏで示すフォーカシング方向に沿って配設された３本のワイヤ１０１〜１０３のうちフォーカシング方向における中央に位置するワイヤ１０２を他の２本のワイヤ１０１、１０２より擂り鉢の底１１７ｂ側から突出させることによって、矢印１０ｂで示す突出方向における後方から突出させている。
【００４１】
図４〜図６に示すように、基板１２０は、中央に形成されてネジ１３０を通す図示していない中央穴と、中央穴の両側に形成されて位置決めのためにホルダ支持部材１１０の突起１１２が挿入される穴１２１と、穴１２１に対して中央穴とは反対側に形成されてそれぞれワイヤ１０１〜１０３が挿入される貫通穴１２２〜１２４とを有している。
【００４２】
以上に説明したように、光ヘッド装置１０は、矢印Ｆｏで示すフォーカシング方向に沿って配設された３本のワイヤ１０１〜１０３のうち矢印Ｆｏで示すフォーカシング方向における中央に位置するワイヤ１０２が他の２本のワイヤ１０１、１０２よりゲル状緩衝材１１７から長く突出しているので、中央に位置するワイヤ１０２のバネ定数が他の２本のワイヤ１０１、１０２のバネ定数より小さくなっている。したがって、光ヘッド装置１０は、対物レンズ３１およびレンズホルダ８０などからなる可動部の支持中心と、可動部に加わるトラッキング方向の推力の中心とを十分に近づけることができ、ダイナミックスキューを従来より抑えることができる。
【００４３】
図１０は、ゲルポット１１３の側面図であって、図９に示す例とは異なる例の図である。
【００４４】
図９に示す例では、矢印Ｆｏで示すフォーカシング方向に沿って配設された３本のワイヤ１０１〜１０３を１つのゲルポット１１３に収納されたゲル状緩衝材１１７に一緒に埋設させているが、ワイヤ１０２を他の２本のワイヤ１０１、１０２より矢印１０ｂで示す突出方向における後方から突出させていれば、図１０に示すように、ワイヤ１０１〜１０３を別々のゲルポットに収納された別々のゲル状緩衝材に埋設させていても良い。
【００４５】
また、図９に示す例では、ゲルポット１１３は、ゲル状緩衝材１１７に対してワイヤ１０１〜１０３の延在方向である矢印１０ａで示す方向のみが開口しているが、ゲル状緩衝材１１７に対して矢印Ｆｏで示すフォーカシング方向や矢印Ｔｒで示すトラッキング方向に開口していても良い。
【図面の簡単な説明】
【００４６】
【図１】本発明の一実施の形態に係る光ヘッド装置の斜視図である。
【図２】図１に示す光ヘッド装置の分解斜視図である。
【図３】図１に示す光ヘッド装置の斜視図であって、一部の部品が取り除かれた状態での図である。
【図４】図１に示す対物レンズ駆動機構の斜視図であって、ゲル状緩衝材の図示を省略した図である。
【図５】（ａ）図１に示す対物レンズ駆動機構の平面図である。  （ｂ）図１に示す対物レンズ駆動機構の右側面図である。
【図６】（ａ）図１に示す対物レンズ駆動機構の正面図であって、ゲル状緩衝材の図示を省略した図である。  （ｂ）図１に示す対物レンズ駆動機構の背面図である。  （ｃ）図１に示す対物レンズ駆動機構の底面図である。
【図７】（ａ）図２に示すヨーク、ホルダ支持部材および基板の平面図である。  （ｂ）図２に示すヨーク、ホルダ支持部材および基板の右側面図である。
【図８】（ａ）図７（ａ）のＡ−Ａ矢視断面図である。  （ｂ）図７（ａ）のＢ−Ｂ矢視断面図であって、ゲル状緩衝材の図示を省略した図である。
【図９】図６（ｂ）のＣ−Ｃ矢視断面図である。
【図１０】図１に示すホルダ支持部材のゲルポットの側面図であって、図９に示す例とは異なる例の図である。
【図１１】従来の光ヘッド装置の可動部をワイヤの延在方向と同じ方向に見た模式図である。
【符号の説明】
【００４７】
１０  光ヘッド装置
３１  対物レンズ
８０  レンズホルダ
１０１〜１０３  ワイヤ
１１０  ホルダ支持部材
１１３  ゲルポット
１１７  ゲル状緩衝材
１１７ａ  表面
１１７ｂ  底
【図１】
2009099164.tif 000007
【図２】
2009099164.tif 000008
【図３】
2009099164.tif 000009
【図４】
2009099164.tif 000010
【図５】
2009099164.tif 000011
【図６】
2009099164.tif 000012
【図７】
2009099164.tif 000013
【図８】
2009099164.tif 000014
【図９】
2009099164.tif 000015
【図１０】
2009099164.tif 000016
【図１１】
2009099164.tif 000017